(57)【特許請求の範囲】
【請求項１】
情報信号が記録される主領域と、ピットが予め形成されたエンボス領域とからなるトラックを有する光ディスクのプッシュプル波形測定装置であって、
前記トラックの接線方向に第１及び第２受光面として分割された受光面を有し、前記トラックに照射された光ビームの反射光を前記第１及び第２受光面で受光して前記第１及び第２受光面各々の受光量に応じた第１及び第２光検出信号を出力する光検出手段と、
前記光検出手段から出力された前記第１及び第２光検出信号の差を算出してプッシュプル信号を生成する減算手段と、
前記主領域の所定位置、前記エンボス領域の開始境界位置及び終了境界位置のいずれか１の位置を指定する指定手段と、
前記光ビームの照射位置を前記指定手段によって指定された前記１の位置に移動させる移動制御手段と、
前記移動制御手段による前記光ビームの照射位置の移動後、前記光ディスクをトラッキングサーボ系の動作を停止させた状態で再生する再生手段と、
前記プッシュプル信号の波形を表示装置に表示させる表示制御手段と、を備えたことを特徴とするプッシュプル波形測定装置。
【請求項２】
前記エンボス領域は前記エンボス領域の開始境界位置側のリーダブル部と前記エンボス領域の終了境界位置側のアンリーダブル部とからなることを特徴とする請求項１記載のプッシュプル波形測定装置。
【請求項３】
前記移動制御手段は、前記１の位置が前記エンボス領域の開始境界位置又は終了境界位置である場合には前記トラック上のアドレスに応じて前記光ビームの照射位置を前記１の位置に移動させることを特徴とする請求項１記載のプッシュプル波形測定装置。
【請求項４】
前記移動制御手段は、前記光検出手段から出力された前記第１及び第２光検出信号の加算信号を読取信号として生成する手段を含み、前記１の位置が前記エンボス領域の開始境界位置である場合には前記トラック上のアドレスを前記読取信号又は前記プッシュプル信号中のプリピット成分に基づいて検出し、前記１の位置が前記エンボス領域の終了境界位置である場合には前記トラック上のアドレスを前記プッシュプル信号中のプリピット成分に基づいて検出することを特徴とする請求項３記載のプッシュプル波形測定装置。
【請求項５】
前記移動制御手段は、前記光検出手段から出力された前記第１及び第２光検出信号の加算信号を読取信号として生成する手段を含み、前記１の位置が前記エンボス領域の開始境界位置又は終了境界位置である場合には前記光ディスクからの読取信号の変調度に応じて前記光ビームの照射位置を前記１の位置に移動させることを特徴とする請求項１記載のプッシュプル波形測定装置。
【請求項６】
前記移動制御手段は、前記１の位置が前記エンボス領域の開始境界位置である場合には前記変調度が所定の第１変調度以上であることを検出し、前記１の位置が前記エンボス領域の終了境界位置である場合には前記変調度が前記第１の所定変調度より低く第２の所定変調度より高いことを検出することを特徴とする請求項５記載のプッシュプル波形測定装置。
【請求項７】
前記移動制御手段は、前記光検出手段から出力された前記第１及び第２光検出信号の加算信号を読取信号として生成する手段と、前記読取信号の直流成分信号を生成する手段と、を含み、前記１の位置が前記エンボス領域の開始境界位置又は終了境界位置である場合には前記直流成分信号のレベル変化に応じて前記光ビームの照射位置を前記１の位置に移動させることを特徴とする請求項１記載のプッシュプル波形測定装置。
【請求項８】
前記移動制御手段は、前記１の位置が前記エンボス領域の開始境界位置である場合には前記直流成分信号のレベルが高レベルから低レベルに変化したことを検出し、前記１の位置が前記エンボス領域の終了境界位置である場合には前記直流成分信号のレベルが低レベルから高レベルに変化したことを検出することを特徴とする請求項７記載のプッシュプル波形測定装置。
【請求項９】
前記１の位置が前記主領域の所定位置である場合に前記プッシュプル信号の振幅を測定する第１振幅測定手段と、
前記１の位置が前記エンボス領域の開始境界位置又は終了境界位置である場合にその境界位置付近の前記プッシュプル信号のプラス振幅及びマイナス振幅を測定する第２振幅測定手段と、
前記第２振幅測定手段によって測定された前記プッシュプル信号のプラス振幅及びマイナス振幅を前記第１振幅測定手段によって測定された前記プッシュプル信号の振幅に応じて正規化する正規化手段と、を有することを特徴とする請求項１記載のプッシュプル波形測定装置。
【請求項１０】
前記プッシュプル信号のプラスマイナス振幅とは前記光ディスクの半径２５mmの位置におけるプッシュプル信号の振幅中心に対するオフセット量であることを特徴とする請求項９記載のプッシュプル波形測定装置。
【請求項１１】
前記表示制御手段は、前記プッシュプル信号の波形と共に前記読取信号及び前記直流成分信号の各波形を同時に前記表示装置に表示させることを特徴とする請求項１，４，５又は７記載のプッシュプル波形測定装置。
【請求項１２】
情報信号が記録される主領域と、ピットが予め形成されたエンボス領域とからなるトラックを有する光ディスクのプッシュプル波形測定方法であって、
前記トラックに照射された光ビームの反射光を、前記トラックの接線方向に第１及び第２受光面として分割された受光面で受光して前記第１及び第２受光面各々の受光量に応じた第１及び第２光検出信号を出力する光検出ステップと、
前記光検出手段から出力された前記第１及び第２光検出信号の差を算出してプッシュプル信号を生成する減算ステップと、
前記主領域の所定位置、前記エンボス領域の開始境界位置及び終了境界位置のいずれか１の位置を指定する指定ステップと、
前記光ビームの照射位置を前記指定手段によって指定された前記１の位置に移動させる移動制御ステップと、
前記移動制御手段による前記光ビームの照射位置の移動後、前記光ディスクをトラッキングサーボ系の動作を停止させた状態で再生する再生ステップと、
前記プッシュプル信号の波形を表示装置に表示させる表示制御ステップと、を備えたことを特徴とするプッシュプル波形測定方法。
【発明の詳細な説明】
【０００１】
【発明が属する技術分野】
本発明は、情報信号が書き込まれる主領域と、ピットが予め形成されたエンボス領域とからなるトラックを有する光ディスクのプッシュプル波形測定装置及び方法に関する。
【０００２】
【従来の技術】
現在、情報信号の書込が可能な光学式の記録媒体として、ＣＤ−Ｒ、ＣＤ−ＲＷ、ＤＶＤ−Ｒ、ＤＶＤ−ＲＷ、ＤＶＤ−ＲＡＭ等の光ディスクが知られている。更に、このような光ディスクに対して情報データの記録及び再生を行う情報記録再生装置が製品化されてきた。
【０００３】
図１は、上記光ディスクとしてのＤＶＤ−ＲＷの領域構成を概略的に示す図である。
図１に示すように、ＤＶＤ−ＲＷは、ディスク内周側から外周側に向けて、ＰＣＡ(Power Calibration Area)、ＲＭＡ(Recording Management Area)、リードインエリア、データエリア、リードアウトエリアからなるデータ構造を有している。ＰＣＡはレーザビームの記録パワーを決定するときの試し書きを行うエリアであり、ＲＭＡは記録に関する管理情報を書き込むエリアである。リードインエリアの一部にはエンボス領域が形成されている。エンボス領域はディスクに予め形成された位相ピットであり、エンボス領域にはコピー防止等に関する情報が記録される場合がある。
【０００４】
図２は、かかる記録可能なディスクの記録面上の一部を示す図である。
図２に示す如く、ディスク基板１０１上には、螺旋状もしくは同心円状に、情報データを担う情報ピット（マーク）Ｐtが形成されるべき凸状のグルーブトラック１０３、及び凹状のランドトラック１０２が交互に形成されている。更に、互いに隣接するグルーブトラック１０３間には、複数のＬＰＰ(ランドプリピット)１０４が形成されている。ＬＰＰ１０４は、ディスクレコーダが情報データを記録する際にその記録タイミング及びアドレスを知る為にランドトラック１０２上に予め設けられているものである。
【０００５】
かかるＬＰＰを有する光ディスクを再生するディスクプレーヤにおいては、ＬＰＰ検出回路が備えられている。ＬＰＰ検出回路は、２値化回路から構成され、ピックアップによって光ディスクからの反射ビームを例えば、トラック接線方向に２分割の光検出器で受光し、その光検出器の出力信号の差信号、すなわちラジアルプッシュプル信号ＰＰを得る。プッシュプル信号ＰＰは図３に示すような波形であり、ＬＰＰ成分はそのプッシュプル信号ＰＰから突出した成分となる。よって、そのプッシュプル信号ＰＰのレベルと閾値ＴＨとを比較することによりＬＰＰの検出を示すプリピット検出信号ＰＰDを生成する。
【０００６】
プリピット検出信号ＰＰDは、ＬＰＰに対応したピックアップの読み取り位置毎に図４に示す如くパルス状にレベル変化が生じる。プリピット検出信号ＰＰD中には図４に示す如く周期Ｔ毎に表れる同期パルスＰSYNCが存在する。同期パルスＰSYNCに続いて２つのプリデータパルスが所定の間隔で存在するが、それらはアドレス等のデータを表すために各周期において常に存在する訳ではない。図４に示すように同期パルスＰSYNCから３番目の位置のパルスがセクタアドレスを担うプリデータパルスＰDである。光ディスクに情報を記録する際にはこのプリピット検出信号ＰＰDに基づいて光ディスクのアドレスを検出して情報の記録が行われる。
【０００７】
【発明が解決しようとする課題】
ＬＰＰを含む光ディスクの製造メーカに対しては、製造された光ディスクのＬＰＰが規格を満たしたものであることが要求されている。光ディスクの規格の適用は、光ディスクのデータ領域に限らず、情報エリア内のエンボス領域も対象である。その光ディスクの中には、そのエンボス領域の全てがアンリーダブル部となっている光ディスク（例えば、ＤＶＤ−ＲＷバージョン１．０）の他に、図５に示すようにエンボス領域がディスク内側から順にリーダブル部、アンリーダブル部となっている光ディスク（例えば、ＤＶＤ−ＲＷバージョン１．１）がある。かかるＤＶＤ−ＲＷバージョン１．１によれば、エンボス領域（コントロールデータゾーンと呼ばれる）の内側に位置する１７６コントロールデータブロックはリーダブル部となっており、これに続く１６サーボブロックはアンリーダブル部となっている。また、ＤＶＤ−ＲＷバージョン１．１ディスクによれば、そのリーダブル部はコピー防止等に関する情報が読み出し可能な深い位相ピットによって記録されており、大半のディスクにはこのリーダブル部におけるトラック間にＬＰＰが形成されていない。一方、アンリーダブル部は、そのエリアに上書き記録された情報の読み出しを妨げるため、浅い位相ピットによって形成されており、かかるアンリーダブル部におけるトラック間にはデータ領域のトラック間と同様にＬＰＰが形成されている。アンリーダブル部のＬＰＰはアンリーダブル部よりディスク外側近くに位置するデータ領域のアドレスを最初の位置から判断するために設けられている。
【０００８】
規格を満たすか否かを判断するためには、グルーブ領域（データ領域を含む図２のようにグルーブトラックがある主領域）、エンボス領域のリーダブル部及びアンリーダブル部各々に対するプッシュプル信号ＰＰを含む信号波形を測定する必要がある。この測定では、特に、エンボス領域のグループ領域との開始境界部分及び終了境界部分を含めて行う必要があり、効率良い測定が望まれていた。
【０００９】
そこで、本発明の目的は、光ディスクのエンボス領域と主領域との境界部分を含む各測定対象部分についてのプッシュプル信号波形の測定を効率良く行うことができるプッシュプル波形測定装置及び方法を提供することである。
【００１０】
【課題を解決するための手段】
本発明のプッシュプル波形測定装置は、情報信号が記録される主領域と、ピットが予め形成されたエンボス領域とからなるトラックを有する光ディスクのプッシュプル波形測定装置であって、トラックの接線方向に第１及び第２受光面として分割された受光面を有し、トラックに照射された光ビームの反射光を第１及び第２受光面で受光して第１及び第２受光面各々の受光量に応じた第１及び第２光検出信号を出力する光検出手段と、光検出手段から出力された第１及び第２光検出信号の差を算出してプッシュプル信号を生成する減算手段と、主領域の所定位置、エンボス領域の開始境界位置及び終了境界位置のいずれか１の位置を指定する指定手段と、光ビームの照射位置を指定手段によって指定された１の位置に移動させる移動制御手段と、移動制御手段による光ビームの照射位置の移動後、光ディスクをトラッキングサーボ系の動作を停止させた状態で再生する再生手段と、プッシュプル信号の波形を表示装置に表示させる表示制御手段と、を備えたことを特徴としている。
【００１１】
本発明のプッシュプル波形測定方法は、情報信号が記録される主領域と、ピットが予め形成されたエンボス領域とからなるトラックを有する光ディスクのプッシュプル波形測定方法であって、トラックに照射された光ビームの反射光を、トラックの接線方向に第１及び第２受光面として分割された受光面で受光して第１及び第２受光面各々の受光量に応じた第１及び第２光検出信号を出力する光検出ステップと、光検出手段から出力された第１及び第２光検出信号の差を算出してプッシュプル信号を生成する減算ステップと、主領域の所定位置、エンボス領域の開始境界位置及び終了境界位置のいずれか１の位置を指定する指定ステップと、光ビームの照射位置を指定手段によって指定された１の位置に移動させる移動制御ステップと、移動制御手段による光ビームの照射位置の移動後、光ディスクをトラッキングサーボ系の動作を停止させた状態で再生する再生ステップと、プッシュプル信号の波形を表示装置に表示させる表示制御ステップと、を備えたことを特徴としている。
【００１２】
【発明の実施の形態】
以下、本発明の実施例を図面を参照しつつ詳細に説明する。
図６は本発明による波形測定装置を示している。この波形測定装置において、記録再生ヘッド２には、図２に示した如き記録面を有する追記又は書換可能な光ディスク１に対して情報データの記録を行う記録ビーム光発生装置（図示せず）、光ディスク１から記録情報(情報データを含む)の読み取りを行う読取ビーム光発生装置(図示せず）及び４分割光検出器（図７の符号２０）が搭載されている。
【００１３】
記録ビーム光発生装置と読取ビーム光発生装置とは個別に設ける必要はなく、記録時には記録用光ビームを発生し、読取時には読取用光ビームを発生する１つの光ビーム発生装置であっても良い。
読取ビーム光発生装置は、スピンドルモータ９によって回転駆動される光ディスク１に読取ビーム光を照射し、その記録面上に情報読取スポットを形成させる。４分割光検出器２０は、図７に示すように、光ディスク１の情報記録トラック（グルーブトラック１０３）の接線に沿った方向と、記録トラックの接線に直交する方向とによって４分割された受光面２０ａ〜２０ｄを有する光電変換素子からなる。その光電変換素子は、情報読取スポットによる光ディスク１からの反射光を４つの受光面２０ａ〜２０ｄ各々によって受光し、夫々を個別に電気信号に変換したものを受光信号Ｒａ〜Ｒｄとして出力する。
【００１４】
サーボ制御装置４は、これら受光信号Ｒａ〜Ｒｄに基づいてフォーカスエラー信号、トラッキングエラー信号及びスライダ駆動信号を各々生成する。フォーカスエラー信号は、記録再生ヘッド２に搭載されているフォーカシングアクチュエータ（図示せず）に供給される。フォーカシングアクチュエータは、フォーカスエラー信号に基づいて情報読取スポットの焦点を調整する。トラッキングエラー信号は、記録再生ヘッド２に搭載されているトラッキングアクチュエータ（図示せず）に供給される。トラッキングアクチュエータは、トラッキングエラー信号に基づいて情報読取スポットの形成位置をディスク半径方向にて調整する。スライダ駆動信号はスライダ１０に供給される。スライダ１０はスライダ駆動信号に応じた速度で記録再生ヘッド２をディスク半径方向に移送させる。
【００１５】
また、上記受光信号Ｒａ〜Ｒｄは加算器２１〜２３及び減算器２４を有するヘッドアンプ２５に供給される。加算器２１は受光信号Ｒａ，Ｒｄを加算し、加算器２２は受光信号Ｒｂ，Ｒｃを加算する。すなわち、加算器２１は４分割光検出器２０の受光面２０ａ及び２０ｄによって各々受光されて得られた受光信号Ｒａ及びＲｄ同士を加算して加算受光信号Ｒa+dを出力する。また、加算器２２は４分割光検出器２０の受光面２０ｂ及び２０ｃ各々によって受光されて得られた受光信号Ｒｂ及びＲｃ同士を加算して加算受光信号Ｒb+cを出力する。
【００１６】
加算器２３は加算器２１，２２の各出力信号Ｒa+d，Ｒb+cを加算する。加算器２３の出力信号は読取信号、すなわちＲＦ信号であり、情報データ再生回路３０及びアドレス検出回路５０に供給される。情報データ再生回路３０は、その読取信号を２値化した後、復調処理、誤り訂正処理、及び各種情報復号処理を順次実施することにより、光ディスク１に記録されていた情報データ（映像データ、音声データ、コンピュータデータ）の再生を行い、これを出力する。
【００１７】
加算器２３の出力にはＬＰＦ２７が接続されている。ＬＰＦ２７は加算器２３の出力ＲＦ信号の低域成分（例えば、３０kHz以下）を抽出し、それをＲＦ直流成分信号として出力する。
減算器２４は加算器２１の出力信号Ｒa+dから加算器２２の出力信号Ｒb+cを減算する。減算器２４の出力信号は上記のグルーブトラック１０３のウォブリングによる周波数を示す信号となり、スピンドルモータ９のスピンドルサーボ装置２６に供給される。スピンドルサーボ装置２６は減算器２４の出力信号から得られる周波数が予め定められた回転速度に対応した周波数になるようにスピンドルモータ９を回転駆動する。スピンドルサーボ装置２６の構成については特開平１０−２８３６３８号公報に既に開示されているので、ここでの説明は省略する。
【００１８】
プリピット検出回路５は、加算器２１，２２の各出力信号に基づいて、図２に示した如き、光ディスク１のランドトラック(プリピットトラック)１０２上に形成されているランドプリピット(ＬＰＰ)１０４を検出してプリピット検出信号ＰＰＤを記録処理回路７及びアドレス検出回路５１に供給する。
記録処理回路７は、プリピット検出信号ＰＰＤに基づいて、現時点において記録再生ヘッド２が記録を行っている位置、すなわち、グルーブトラック１０３上の位置を認識し、この記録位置から所望の記録位置へと記録再生ヘッド２をトラックジャンプせしめるべき制御信号をサーボ制御装置４に供給する。更に、記録処理回路７は、記録すべき情報データに対して所望の記録変調処理を施して記録変調データ信号を生成し、これを上記記録再生ヘッド２に供給する。記録再生ヘッド２に搭載されている記録ビーム光発生装置は、かかる記録変調データ信号に応じた記録ビーム光を発生し、これを光ディスク１上のグルーブトラック１０３上に照射する。この際、かかる記録ビームが照射されたグルーブトラック１０３上の領域に熱が伝わりその領域に、情報ピット（マーク）が形成されて行く。
【００１９】
記録処理回路７の構成についても特開平１０−２８３６３８号公報に既に開示されているので、ここでのこれ以上の説明は省略する。
プリピット検出回路５は、図７に示すように、加算器２１の出力信号Ｒa+dを増増幅する増幅器３１と、加算器２２の出力信号Ｒb+cを増幅する増幅器３２と、増幅器３１の出力信号から増幅器３２の出力信号を減算して出力する減算器３３と、減算器３３の出力信号を閾値ＴＨにて２値化して上記のプリピット検出信号ＰＰDを生成する２値化回路３４とからなる。増幅器３１の利得Ｇ１と増幅器３２の利得Ｇ２とは、Ｇ１＝Ｇ２に設定される。
【００２０】
記録再生ヘッド２において、減算器３３から出力される信号は上記の２値化回路３４の他にＬＰＦ３５に供給される。ＬＰＦ３５はプッシュプル信号ＰＰの低域成分を抽出してプッシュプル信号ＰＰを生成する。
上記のＲＦ信号、ＲＦ直流成分信号及びプッシュプル信号ＰＰはオシロスコープ６１に供給される。
【００２１】
オシロスコープ６１はＲＦ信号、ＲＦ直流成分信号及びプッシュプル信号ＰＰを各々入力し、それら信号をサンプリングして波形表示する。
オシロスコープ６１にはパーソナルコンピュータ（以下、パソコンと称す）６２が接続されている。パソコン６２の具体的な構成は示さないが、少なくともＣＰＵ及び内部メモリを含んでいる。
【００２２】
パソコン６２とオシロスコープ６１との間の接続は例えば、ＧＰＩＢ、１０ＢＡＳＥ−Ｔ、或いはＲＳ−２３２Ｃ等のインターフェース規格に基づいている。オシロスコープ６１は例えば、図８に示す構成を有することができる。すなわち、オシロスコープ６１は、Ａ／Ｄ変換器９１と、制御回路９２と、サンプルメモリ９３と、表示メモリ９４と、Ｘ及びＹドライバ９５，９６と、表示パネル９７と、操作部９８と、インターフェース９９とを備えている。Ａ／Ｄ変換器９１は３つの入力アナログ信号をディジタル信号に変換する。制御回路９２はＡ／Ｄ変換器９１によって得られたディジタル信号のサンプルデータをサンプルメモリ９３に順次書き込むと共にサンプルメモリ９３から表示すべきデータを読み出して表示メモリ９４に書き込んで展開する。表示メモリ９４は表示パネル９７の各画素に対応した記憶位置を有する。Ｘ及びＹドライバ９５，９６は表示メモリ９４に書き込まれたデータに応じて表示パネル９７を駆動して表示パネル９７に入力アナログ信号の波形を表示させる。インターフェース９９は上記のパソコン６２と接続するための例えば、ＧＰＩＢ、１０ＢＡＳＥ−Ｔ、或いはＲＳ−２３２Ｃ等のインターフェース規格に基づいた回路であり、サンプルメモリ９３に書き込まれたデータを制御回路９２を介してパソコン６２に転送する。また、インターフェース９９はパソコン６２からの指令を制御回路９２に中継供給する。
【００２３】
かかる構成の波形測定装置において、パソコン６２は、図９に示すように、光ディスク１に対する再生動作を開始させる（ステップＳ１）。再生動作ではスピンドルサーボ、トラッキングサーボ及びフォーカスサーボ等のサーボ系を全てクローズ状態にさせて記録再生ヘッド２による光ディスク１からの読み取りが可能にされる。その後、記録再生ヘッド２による読取ビーム光を照射位置（読取位置）を光ディスクの半径２５ｍｍの位置に移動させる（ステップＳ２）。すなわち、光ディスク１のグルーブ領域に読取ビーム光を照射位置にトラックジャンプによって移動させる。読取ビーム光を照射位置の移動後、トラッキングサーボ系のみをオープン状態（トラッキングサーボ制御停止）にして記録再生ヘッド２による光ディスク１からの読み取りは継続させる（ステップＳ３）。トラッキングサーボ系のオープンによってグルーブトラックに沿ったトレースがなくなるので、読取ビーム光の光ディスク１上の照射位置は光ディスク１の偏心分に応じてディスク半径方向において変動する。そして、オシロスコープ６１にプッシュプル信号ＰＰ、ＲＦ信号及びＲＦ直流成分信号の波形を各々表示させる（ステップＳ４）。また、プッシュプル信号ＰＰの振幅ｐｐｂ(AC)とＲＦ直流成分信号の直流レベルｐｐｂ(DC)の比ｐｐｂ(AC)／ｐｐｂ(DC)をｐｐｂとして算出する（ステップＳ５）。パソコン６２は、例えば、オシロスコープ６１からプッシュプル信号ＰＰの振幅ｐｐｂ(AC)とＲＦ直流成分信号の直流レベルｐｐｂ(DC)とを読み取ってｐｐｂ＝ｐｐｂ(AC)／ｐｐｂ(DC)を計算する。
【００２４】
更に、パソコン６２は、オシロスコープ６１の表示画面におけるプッシュプル信号ＰＰの振幅中心にカーソル（基準ライン）が位置するように設定する（ステップＳ６）。これはパソコン６２からの指示で行っても良いし、手動によっても良い。すなわち、図１０(a)に示すようにプッシュプル信号ＰＰの振幅中心を例えば、０レベルとするようにカーソル移動を行うのである。
【００２５】
パソコン６２は、以上のグルーブ領域における測定を終了すると、光ディスク１のエンボス領域の開始境界位置及び終了境界位置のいずれの位置の波形測定であるかを判別する（ステップＳ７）。この判別はユーザの入力操作に応じて行っても良い。光ディスク１のエンボス領域の開始境界位置の波形測定であると判別した場合には、記録再生ヘッド２による読取ビーム光の照射位置を光ディスク１のエンボス領域の開始境界位置に移動させる（ステップＳ８）。このステップＳ８の移動については後述する。エンボス領域の開始境界位置への移動後、トラッキングサーボ系のみをオープン状態にして記録再生ヘッド２による光ディスク１からの読み取りは継続させ（ステップＳ９）、オシロスコープ６１にプッシュプル信号ＰＰ、ＲＦ信号及びＲＦ直流成分信号の波形を各々表示させる（ステップＳ１０）。ステップＳ９及びＳ１０は上記のステップＳ３及びＳ４と同様である。オシロスコープ６１の表示画面には例えば、図１０(b)に示すように、プッシュプル信号ＰＰ、ＲＦ信号及びＲＦ直流成分信号の波形が同一時間軸上に同時に表示される。この表示から分かるように読取ビーム光の光ディスク１上の照射位置はエンボス領域のリーダブル部とグルーブ領域との境界を含んで光ディスク１の偏心分に応じてディスク半径方向において変動する。
【００２６】
パソコン６２はリーダブル部とグルーブ領域との境界部分のプッシュプル信号ＰＰのプラス振幅（ゼロ以上の振幅レベル）ＰＰｉ及びマイナス振幅（ゼロ以下の振幅レベル）ＰＰｊを測定する（ステップＳ１１）。プラス振幅ＰＰｉ及びマイナス振幅ＰＰｊは境界部分の全ての波形に対して求めても良いし、その中の最小値でも良い。そして、測定したプラス振幅ＰＰｉ及びマイナス振幅ＰＰｊに対して、それぞれの領域のＲＦ直流成分信号の直流レベルとの比
|ＰＰｉ|＝ＰＰｉ／ｐｐｂ(DC)
|ＰＰｊ|＝ＰＰｊ／ｐｐｂ(DC)
を算出する。更に、この算出した|ＰＰｉ|及び|ＰＰｊ|を上記した半径２５mmの位置におけるｐｐｂで正規化する（ステップＳ１２）。すなわち、｜ＰＰｉ｜／ｐｐｂ及び｜ＰＰｊ｜／ｐｐｂの計算が行われる。ＤＶＤ−ＲＷの規格では｜ＰＰｉ｜／ｐｐｂ＞０．２、｜ＰＰｊ｜／ｐｐｂ＞０．２を満たす必要がある。
【００２７】
パソコン６２は、ステップＳ７において光ディスク１のエンボス領域の終了境界位置の波形測定であると判別した場合には、記録再生ヘッド２による読取ビーム光の照射位置を光ディスク１のエンボス領域の終了境界位置に移動させる（ステップＳ１３）。このステップＳ１３の移動についても後述する。エンボス領域の終了境界位置への移動後、トラッキングサーボ系のみをオープン状態にして記録再生ヘッド２による光ディスク１からの読み取りは継続させ（ステップＳ１４）、オシロスコープ６１にプッシュプル信号ＰＰ、ＲＦ信号及びＲＦ直流成分信号の波形を各々表示させる（ステップＳ１５）。ステップＳ１４及びＳ１５は上記のステップＳ３及びＳ４と同様である。オシロスコープ６１の表示画面には例えば、図１０(c)に示すように、プッシュプル信号ＰＰ、ＲＦ信号及びＲＦ直流成分信号の波形が同一時間軸上に同時に表示される。読取ビーム光の光ディスク１上の照射位置はエンボス領域のリーダブル部とアンリーダブル部との境界及びアンリーダブル部とグルーブ領域との境界を含んで光ディスク１の偏心分に応じてディスク半径方向において変動する。アンリーダブル部はディスク半径方向において狭いので、トラッキングサーボ系のオープンによってグルーブトラックに沿ったトレースがなくなると、リーダブル部、アンリーダブル部及びグルーブ領域が読み取りの対象となる。
【００２８】
パソコン６２はリーダブル部とアンリーダブル部の境界部分ののプッシュプル信号ＰＰのプラス振幅ＰＰｉ及びマイナス振幅ＰＰｊと、アンリーダブル部とグルーブ領域との境界部分ののプッシュプル信号ＰＰのプラス振幅ＰＰｉ及びマイナス振幅ＰＰｊとを測定する（ステップＳ１６）。ステップＳ１６は上記のステップＳ１１と同様である。そして、測定した各境界のプラス振幅ＰＰｉ及びマイナス振幅ＰＰｊ各々を上記したｐｐｂで正規化する（ステップＳ１２）。
【００２９】
次に、ステップＳ８における読取ビーム光の照射位置を光ディスク１のエンボス領域の開始境界位置へ移動させる動作について説明する。
パソコン６２は、図１１に示すように光ディスク１に対する再生動作を開始させる（ステップＳ２１）。ステップＳ２１の動作はステップＳ１と同様に行われるが、その再生位置はディスク１のエンボス領域より内側から開始される。パソコン６２は、アドレス検出回路５０によって検出されたアドレスを読み取る（ステップＳ２２）。アドレス検出回路５０及びアドレス検出回路５１の各々はヘッドアンプ２５の出力信号に基づいて読取ビームの照射位置におけるアドレスを検出する回路である。アドレス検出回路５０はＲＦ信号に応じて読取ビームの照射位置におけるアドレスを検出し、アドレス検出回路５１はプリビット検出信号ＰＰDに応じて読取ビームの照射位置におけるアドレスを検出する。パソコン６２は、照射位置のアドレスが予め定められたリーダブル部の開始アドレスであるか否かを判別する（ステップＳ２３）。リーダブル部の開始アドレスではないならば、更に、読取ビームの照射位置のアドレスを読み取る。読取ビームの照射位置のアドレスがリーダブル部の開始アドレスならば、読取ビーム光の照射位置は光ディスク１のエンボス領域の開始境界位置に移動したこととなる。
【００３０】
次いで、ステップＳ１３における読取ビーム光の照射位置を光ディスク１のエンボス領域の終了境界位置へ移動させる動作について説明する。
パソコン６２は、図１２に示すように光ディスク１に対する再生動作を開始させる（ステップＳ３１）。ステップＳ２１の動作はステップＳ１と同様に行われるが、その再生位置はディスク１のエンボス領域後のグルーブ領域より内側から開始される。パソコン６２は、アドレス検出回路５１によって検出されたアドレスを読み取る（ステップＳ３３）。パソコン６２は、照射位置のアドレスが予め定められたアンリーダブル部内のアドレスであるか否かを判別する（ステップＳ２３）。アンリーダブル部内のアドレスではないならば、更に、読取ビームの照射位置のアドレスを読み取る。読取ビームの照射位置のアドレスがアンリーダブル部内のアドレスならば、読取ビーム光の照射位置は光ディスク１のエンボス領域の終了境界位置に移動したこととなる。
【００３１】
図１１及び図１２においては、エンボス領域の開始境界位置及び終了境界位置を読取アドレスに応じて判別したが、変調度から判別することもできる。次に、変調度を検出することによって読取ビーム光の照射位置を光ディスク１のエンボス領域の開始境界位置又は終了境界位置へ移動させる動作を説明する。なお、変調度から判別の場合にはエンボス領域の前後のグループ領域には情報が記録されていないことが条件である。
【００３２】
先ず、エンボス領域の開始境界位置への移動の場合には、パソコン６２は、図１３に示すように、光ディスク１に対する再生動作を開始させる（ステップＳ４１）。ステップＳ４１はステップＳ２１と同様に実行される。パソコン６２は、ＲＦ信号の振幅ＡＣ及びＲＦ直流成分信号の電圧ＤＣを測定する（ステップＳ４２）。ＲＦ信号の振幅ＡＣ及びＲＦ直流成分信号の電圧ＤＣはオシロスコープ６１に供給されているＲＦ信号から、又はＲＦ信号及びＲＦ直流成分信号を読み取っても良く、測定値としては平均的な振幅ＡＣ及びＲＦ直流成分信号の電圧ＤＣを求めても良い。ＲＦ信号の振幅ＡＣ及びＲＦ直流成分信号の電圧ＤＣを測定したならば、それら測定値を用いて変調度ＭｏｄをＡＣ／ＤＣの如く算出する（ステップＳ４３）。そして、その変調度Ｍｏｄが６０％以上であるか否か判別する（ステップＳ４４）。Ｍｏｄ＜６０％ならば、情報が記録されていないグループ領域であるので、再生動作に戻して（ステップＳ４５）、ステップＳ４２に移行する。ステップＳ４４において、Ｍｏｄ≧６０％ならば、情報が記録されているので、エンボス領域のリーダブル部であるので、読取ビーム光の照射位置は光ディスク１のエンボス領域の開始境界位置に移動したこととなる。
【００３３】
次に、エンボス領域の終了境界位置への移動の場合には、パソコン６２は、図１４に示すように、光ディスク１に対する再生動作を開始させる（ステップＳ５１）。ステップＳ５１はステップＳ３１と同様に実行される。パソコン６２は、ＲＦ信号の振幅ＡＣ及びＲＦ直流成分信号の電圧ＤＣを測定し（ステップＳ５２）、それら測定値を用いて変調度ＭｏｄをＡＣ／ＤＣの如く算出する（ステップＳ５３）。ステップＳ５２及びＳ５３はステップＳ４２及びＳ４３と同様に実行される。そして、その算出した変調度Ｍｏｄが９〜６０％であるか否か判別する（ステップＳ５４）。Ｍｏｄ≠９〜６０％ならば、エンボス領域がリーダブル領域或いはそれより光ディスク内側の情報が記録されていないグループ領域であるので、再生動作に戻して（ステップＳ５５）、ステップＳ５２に移行する。ステップＳ５４において、Ｍｏｄ＝９〜６０％ならば、情報が記録されているので、エンボス領域のアンリーダブル部であるので、読取ビーム光の照射位置は光ディスク１のエンボス領域の開始境界位置に移動したこととなる。
【００３４】
なお、変調度Ｍｏｄを求めるためには変調度検出回路（図示せず）をＲＦ信号ラインに備えても良い。
次に、ＲＦ直流成分信号のレベルを検出することによって読取ビーム光の照射位置を光ディスク１のエンボス領域の開始境界位置又は終了境界位置へ移動させる動作を説明する。このＲＦ直流成分信号のレベルから判別の場合にはエンボス領域の前後のグループ領域には情報が記録されていないことが条件である。
【００３５】
先ず、エンボス領域の開始境界位置への移動の場合には、パソコン６２は、図１５に示すように、光ディスク１に対する再生動作を開始させる（ステップＳ６１）。ステップＳ６１はステップＳ２１と同様に実行される。パソコン６２は、ＲＦ直流成分信号の電圧ＤＣを測定する（ステップＳ６２）。ＲＦ直流成分信号の電圧ＤＣはオシロスコープ６１に供給されているＲＦ直流成分信号を読み取る。測定値としてはＲＦ直流成分信号の所定期間の平均電圧ＤＣを求めても良い。ＲＦ直流成分信号の電圧ＤＣを測定したならば、電圧ＤＣが高レベルから低レベルに変化したか否かを判別する（ステップＳ６３）。読取ビーム光の照射位置がグルーブ領域からエンボス領域のリーダブル部に入るとＲＦ直流成分信号は高レベルから低レベルとなる。高レベルの状態であれば、読取ビーム光の照射位置はグルーブ領域にあるので、再生動作に戻して（ステップＳ６４）、ステップＳ６２に移行する。ステップＳ６３において、ＲＦ直流成分信号が高レベルから低レベルに変化したと判別した場合にはエンボス領域のリーダブル部に対応するので、読取ビーム光の照射位置は光ディスク１のエンボス領域の開始境界位置に移動したこととなる。
【００３６】
次に、エンボス領域の終了境界位置への移動の場合には、パソコン６２は、図１６に示すように、光ディスク１に対する再生動作を開始させる（ステップＳ７１）。ステップＳ７１はステップＳ３１と同様に実行される。パソコン６２は、ＲＦ直流成分信号の電圧ＤＣを測定し（ステップＳ７２）、測定したＲＦ直流成分信号の電圧ＤＣが低レベルから高レベルに変化したか否かを判別する（ステップＳ７３）読取ビーム光の照射位置がエンボス領域のリーダブル部からアンリーダブル部に入るとＲＦ直流成分信号は低レベルから高レベルとなる。ＲＦ直流成分信号の電圧ＤＣが低レベルの状態であれば、読取ビーム光の照射位置はエンボス領域のリーダブル部にあるので、再生動作に戻して（ステップＳ７４）、ステップＳ７２に移行する。ステップＳ７３において、ＲＦ直流成分信号が低レベルから高レベルに変化したと判別した場合にはエンボス領域のアンリーダブル部又はその後のグルーブ部に対応するので、読取ビーム光の照射位置は光ディスク１のエンボス領域の終了境界位置に移動したこととなる。
【００３７】
なお、光ディスク１の偏心量が少ないために図１０(b)又は図１０(c)に示すようにエンボス領域とグルーブ領域とを含んだ波形が得られない場合には、トラッキングサーボ系にサイン波信号を供給させてステップＳ１０及びＳ１５における波形表示において読取ビーム光の照射が強制的にエンボス領域とグルーブ領域とを含んで行われるようにしても良い。
【００３８】
【発明の効果】
以上の如く、本発明によれば、光ディスクのエンボス領域と主領域との境界部分を含む各測定対象部分についてのプッシュプル信号波形の測定を効率良く行うことができ、測定時間を短縮させることができる。
【図面の簡単な説明】
【図１】ＤＶＤ−ＲＷの各領域の配置構造を示す図である。
【図２】ＤＶＤ−ＲＷの記録面の構造を示す図である。
【図３】ＬＰＰ成分を含むラジアルプッシュプル信号の波形を示す図である。
【図４】プリピット検出信号の波形を示す図である。
【図５】エンボス領域のリーダブル部とアンリーダブル部とを示す図である。
【図６】本発明による波形測定装置を示すブロック図である。
【図７】図６の装置中のヘッドアンプ及びプリピット検出回路の構成を示すブロック図である。
【図８】図６の装置中のオシロスコープの概略構成を示すブロック図である。
【図９】パソコンによる波形測定動作を示すフローチャートである。
【図１０】図９の波形測定動作によってオシロスコープに表示される波形例を示す図である。
【図１１】エンボス領域の開始境界位置への移動動作を示すフローチャートである。
【図１２】エンボス領域の終了境界位置への移動動作を示すフローチャートである。
【図１３】エンボス領域の開始境界位置への移動動作を示すフローチャートである。
【図１４】エンボス領域の終了境界位置への移動動作を示すフローチャートである。
【図１５】エンボス領域の開始境界位置への移動動作を示すフローチャートである。
【図１６】エンボス領域の終了境界位置への移動動作を示すフローチャートである。
【符号の説明】
１  光ディスク
２  記録再生ヘッド
５  プリピット検出回路
１０  スライダ
２０  ４分割光検出器
６１  オシロスコープ
６２  パソコン
【図１】
0003942160.tif 000002
【図２】
0003942160.tif 000003
【図３】
0003942160.tif 000004
【図４】
0003942160.tif 000005
【図５】
0003942160.tif 000006
【図６】
0003942160.tif 000007
【図７】
0003942160.tif 000008
【図８】
0003942160.tif 000009
【図９】
0003942160.tif 000010
【図１０】
0003942160.tif 000011
【図１１】
0003942160.tif 000012
【図１２】
0003942160.tif 000013
【図１３】
0003942160.tif 000014
【図１４】
0003942160.tif 000015
【図１５】
0003942160.tif 000016
【図１６】
0003942160.tif 000017